(57)【特許請求の範囲】
【請求項１】
衣類着せ掛け用の人型本体（３）に、人型本体（３）の上部中央に整形すべき衣類（Ａ）の肩部（Ｃ）を掛ける肩掛材（４）と、人型本体（３）の上部寄り左右各側部からそれぞれ人型本体（３）の内外に出没可能に設置され且つ外方突出時に人型本体（３）に着せ掛けた衣類（Ａ）の各袖部（Ｂ，Ｂ）を左右横方向に広げた状態で支持できる左右の各腕部材（６，６）と、該各腕部材（６，６）を人型本体（３）の内外に出没させる腕部材出し入れ装置（７）とをそれぞれ設けて人型（２）を構成し、該人型（２）を衣類着せ掛け位置となる下動位置と衣類受け渡し位置となる上動位置との間で昇降せしめ得るようにした衣類整形装置において、
前記肩掛材（４）は、前後同形の２枚の型板（４０，４０）を小隙間（４４）を隔てて一体化したものであって、整形すべき衣類（Ａ）の肩幅程度の左右長さを有する肩掛部（４１）と、該肩掛部（４１）の上部中央において上方に突出し且つ小サイズの衣類（Ａ１）の襟部（Ｄ）を掛けるのに適した幅（Ｘ１）の襟掛部（４２）とを有したものを使用し、
別部材として前記肩掛材（４）の両型板（４０，４０）間の小隙間（４４）内に挿入し得る薄板状であって前記肩掛材（４）の襟掛部（４２）の幅（Ｘ１）より大きい幅（Ｘ２，Ｘ３）の襟掛部（５２）を有した補助襟掛材（５Ａ〜５Ｄ）を備え、
前記肩掛材（４）と前記補助襟掛材（５Ａ〜５Ｄ）との間に、補助襟掛材（５Ａ〜５Ｄ）を肩掛材（４）に対して着脱自在に係止するための係止手段（１０）を設けているとともに、
前記係止手段（１０）は、前記肩掛材（４）の両型板（４０，４０）間に前後方向に向く複数個の係止ピン（４７Ａ〜４７Ｄ）を設けている一方、前記補助襟掛材（５Ａ〜５Ｄ）に前記各係止ピン（４７Ａ〜４７Ｄ）にそれぞれ嵌合し得る複数の嵌合溝（５３，５６，５７）を設けたものを使用している、
ことを特徴とする衣類整形装置の人型構造。
【請求項２】
請求項１において、
補助襟掛材（５Ｃ，５Ｄ）として左右に２分割した分割型板（５５，５５）を使用し、
係止手段（１０）として、前記各分割型板（５５，５５）に、該分割型板（５５）を肩掛材（４）の両型板（４０，４０）間の小隙間（４４）内に上方から挿入した後、中央側に横移動させることで前記各係止ピン（４７Ａ〜４７Ｄ）に係止できる横向きの嵌合溝（５６，５７）を設けたものを使用している、
ことを特徴とする衣類整形装置の人型構造。
【請求項３】
請求項１又は２において、
人型（２）として、各腕部材（６，６）を外方に突出させたときに該各腕部材（６，６）の突出部をそれぞれ水平姿勢と該水平姿勢より僅かに下方傾斜させた下方傾斜姿勢とに変化させ得るようにしたものを使用し、
肩掛材（４）の左右各肩掛部（４１，４１）の上辺部（４１ａ，４１ａ）を水平に形成する一方、
補助襟掛材（５Ｂ，５Ｄ）の襟掛部（５２）の左右各外側にそれぞれ肩掛部（５１，５１）を形成して、該各肩掛部（５１，５１）の上辺部（５１ａ，５１ａ）をそれぞれ外側に向けて水平より僅かに下方傾斜するように形成するとともに、
前記補助襟掛材（５Ｂ，５Ｄ）を肩掛材（４）に装着した状態で、補助襟掛材（５Ｂ，５Ｄ）の各肩掛部（５１，５１）の各上辺部（５１ａ，５１ａ）が肩掛材（４）の各肩掛部（４１，４１）の上辺部（４１ａ，４１ａ）より僅かに突出する位置で下方傾斜するように設定している、
ことを特徴とする衣類整形装置の人型構造。
【発明の詳細な説明】
【技術分野】
【０００１】
本願発明は、例えばクリーニング工場において、洗濯後（脱水後）の浴衣やガウンなどの衣類を人型に着せ掛けてきれいに整形し得るようにした衣類整形装置に関し、さらに整形すべき衣類の襟部の形状・大きさ等に応じて人型の襟掛部の形状を変化させ得るようにした衣類整形装置の人型構造に関するものである。
するものである。
【背景技術】
【０００２】
クリーニング工場において浴衣やガウン（バスローブも含む）などの衣類は、洗濯後（脱水後）にプレス機にかけて成形するが、プレス機側へは該衣類をきれいに整形した状態で送り込む必要がある。尚、洗濯後、乾燥済みの衣類は、種類によってプレス機にかけないで直接折畳み機側に送り込むこともあるが、その場合でも、衣類はきれいに整形させておく必要がある。
【０００３】
洗濯後の衣類をきれいに整形するための衣類整形装置として、従来から図１３及び図１４に示すようなものが知られている。尚、図１３及び図１４に示す衣類整形装置は、特開２００１−７９９号公報（特許文献１）のものである。
【０００４】
この公知（図１３、図１４）の衣類整形装置は、整形すべき衣類Ａを着せ掛け得る人型２を、昇降装置（エアシリンダ）８により衣類着せ掛け位置となる下動位置（図１３の状態）と人型２に着せ掛けた衣類Ａを上方位置にある衣類保持装置１２に受け渡す上動位置（図１４の状態）との間で昇降せしめ得るようになっている。尚、衣類保持装置１２は、図１４に示すように、両袖Ｂ，Ｂを左右に広げた展張状態の衣類Ａを受け取った後、該展張衣類Ａを後工程側（例えばプレス機側）に移送する搬送コンベア上に供給するようになっている。
【０００５】
人型２は、衣類着せ掛け用の人型本体３に、該人型本体３の上部寄り左右各側部からそれぞれ人型本体３の内外に出没可能に設置された左右の各腕部材６，６と、該各腕部材６，６を出没操作する腕部材出し入れ装置（エアシリンダ）７，７とを有している。
【０００６】
人型本体３の上部位置には、衣類Ａの両肩部Ｃ，Ｃ及び襟部Ｄを掛けるための肩掛材４が取付けられている。この肩掛材４は、整形すべき衣類Ａの肩幅程度だけ左右に突出する各肩掛部４１，４１と、該各肩掛部４１，４１の上部中央において上方に突出する襟掛部４２を有している。尚、この肩掛材４では、左右の肩掛部４１，４１の各上辺部４１ａ，４１ａが水平であり、襟掛部４２の幅Ｘ0が一定（不変）である。
【０００７】
そして、各腕部材出し入れ装置７，７の縮小状態では、図１３に示すように各腕部材６，６が人型本体３内に没入して、人型２に衣類Ａを着せ掛けるのに邪魔にならないようにする一方、該各腕部材出し入れ装置７，７が伸長すると、各腕部材６，６が肩掛材４の各肩掛部４１，４１と同高さにおいて水平姿勢状態で人型本体３から突出するようになっている（図１４の状態）。尚、図１４は、図１３の状態で両腕部材６，６を外方に突出させた後（両袖部Ｂ，Ｂが水平姿勢で支持される）、人型昇降装置８により人型本体３を上動させた状態を示している。
【０００８】
ところで、この種の衣類整形装置で整形すべき衣類Ａとして、図１５（Ａ）に示す小サイズの浴衣（薄手のもの）Ａ1や、図１５（Ｂ）に示す中サイズの浴衣（薄手のもの）Ａ2や、図１５（Ｃ）に示すガウン（バスローブも含む）のような大サイズＡ3などがある。そして、図１５（Ａ），（Ｂ）に示す薄手の浴衣Ａ1，Ａ2では、両袖部Ｂ，Ｂを広げた自然状態で各肩部及び各袖部Ｂ，Ｂの上辺部Ｂａ，Ｂａが水平に向く状態で整形するが、図１５（Ａ）の小サイズの浴衣Ａ1では整形状態での襟部Ｄの幅Ｗ1をサイズに合わせて小さくする方がきれいに折畳むことができ、図１５（Ｂ）の中サイズの浴衣Ａ2では整形状態での襟部Ｄの幅Ｗ2をサイズに合わせて大きくする方がきれいに折畳める。尚、以下の説明では、図１５（Ａ）に示す小サイズの浴衣Ａ1を小サイズ衣類といい、図１５（Ｂ）に示す中サイズの浴衣Ａ2を中サイズ衣類といい、図１５（Ｃ）に示すガウンＡ3を大サイズ衣類という。又、図１５（Ａ）に示す小サイズ衣類Ａ1の襟部幅Ｗ1は１５〜１８cm程度であり、図１５（Ｂ）に示す中サイズ衣類Ａ2の襟部幅Ｗ2は１６〜１９cm程度である。又、図１５（Ｃ）に示す大サイズ衣類（ガウン）Ａ3では、両袖Ｂ，Ｂを広げた自然状態で両肩部Ｃ，Ｃの上辺部及び各袖部Ｂ，Ｂの上辺部Ｂａ，Ｂａが水平姿勢から僅かに下方傾斜する状態で整形するとともに、整形状態での襟部Ｄをゆったりと整形する（大サイズ衣類Ａ3の襟部幅Ｗ3が中サイズ衣類Ａ2の襟部幅Ｗ2より大きくなるように整形する）のが好ましい。尚、図１５（Ｃ）の大サイズ衣類Ａ3では、襟部幅Ｗ3が２０〜２２cm程度である。又、この図１５（Ｃ）の大サイズ衣類Ａ3では、肩部Ｃの上辺部及び展張させた袖部Ｂの上辺部Ｂａの下方傾斜角度ａが水平線Ｌから約４°となっている。
【０００９】
尚、本願の関連特許文献として、後記する特開２００５−８７２２３号公報（特許文献２）と特開２００４−１７３８０８号公報（特許文献３）とがある。
【００１０】
【特許文献１】特開２００１−７９９号公報
【特許文献２】特開２００５−８７２２３号公報
【特許文献３】特開２００４−１７３８０８号公報
【発明の開示】
【発明が解決しようとする課題】
【００１１】
ところが、上記した公知（図１３、図１４）の衣類整形装置では、人型の肩掛材４の襟掛部幅Ｘ0（図１３）が一定（不変）であるので、該襟掛部幅Ｘ0が図１５（Ａ）に示す小サイズ衣類Ａ1の襟部幅Ｗ1（１５〜１８cm）と図１５（Ｂ）に示す中サイズ衣類Ａ2の襟部幅Ｗ2（１６〜１９cm）の両方に同時に適合することはない。即ち、肩掛材４の襟掛部幅Ｘ0を小サイズ衣類Ａ1の襟部幅Ｗ1に適合する幅（例えば１４〜１５cm）に設定したものでは、中サイズ衣類Ａ2を人型２に着せ掛けたときに襟部Ｄ（襟部幅Ｗ2）にダブツキが生じ、逆に、肩掛材４の襟掛部幅Ｘ0を中サイズ衣類Ａ2の襟部幅Ｗ2に適合する幅（例えば１５〜１８cm）に設定したものでは、小サイズ衣類Ａ1を人型２に着せ掛けたときに襟部Ｄ（襟部幅Ｗ1）が広くなり過ぎる。尚、肩掛材４の襟掛部幅Ｘ0を小サイズ衣類Ａ1と中サイズ衣類Ａ2の中間サイズの衣類の襟部幅に適合させると、小サイズ衣類Ａ1及び中サイズ衣類Ａ2を人型に着せ掛けたときに各襟部幅が共に少しずつ適合しなくなる。又、肩掛材４の襟掛部幅Ｘ0を中サイズ衣類Ａ2の襟部幅Ｗ2に適合する幅（１６〜１９cm）に設定したものでも、大サイズ衣類Ａ3のように襟部Ｄをゆったり整形する（襟部幅Ｗ3＝２０〜２２cm）ものでは、大サイズ衣類Ａ3を人型２に着せ掛けたときに襟部Ｄにダブツキが生じる。
【００１２】
従って、上記した公知（図１３、図１４）の衣類整形装置では、サイズ（特に襟部幅）の異なる衣類をすべてきれいに整形することができなかった。
【００１３】
又、上記（図１３、図１４）の衣類整形装置では、肩掛材４の各肩掛部４１，４１の上辺部４１ａ，４１ａがそれぞれ水平であるので、図１５（Ｃ）に示す大サイズ衣類（ガウン）Ａ3のように肩部Ｃ，Ｃ及び各袖部Ｂ，Ｂの上辺部Ｂａ，Ｂａをそれぞれ僅かに下方傾斜した姿勢で整形することができない。即ち、大サイズ衣類（ガウン）Ａ3を人型２に着せ掛けて両腕部材６，６を外方に突出させると、上記したように大サイズ衣類Ａ3の肩部Ｃ，Ｃの上辺部及び袖部上辺部Ｂａ，Ｂａが水平姿勢で展張されてしまい、不自然な形状に整形されてしまう。
【００１４】
ところで、この種の公知の衣類整形装置の中には、特開２００５−８７２２３号公報（特許文献２）で示されるように、人型の肩掛材に左右一対の襟部材を左右に近接・離間方向に移動可能に取付け、該各襟部材をエアシリンダで左右に近接・離間させることにより、襟掛部幅を調整し得るようにしたものがある。
【００１５】
この公知例（特開２００５−８７２２３号公報）のものでは、整形すべき衣類の襟部幅に応じて襟掛部幅を調整し得るものの、各襟部材を肩掛材に対して移動自在にガイドするためのガイド構造が必要であるとともに、各襟部材移動用のエアシリンダ及び該エアシリンダの操作のための構成（エアー配管、エアー切換弁、操作スイッチ、電気配線等）が必要であるので、コストアップになるという問題がある。又、この公知例のものでは、図１５（Ｃ）に示す大サイズ衣類（ガウン）Ａ3の肩部Ｃ及び袖部上辺部Ｂａを下方傾斜で整形することができない。
【００１６】
又、公知の衣類整形装置の中には、特開２００４−１７３８０８号公報（特許文献３）で示されるように、人型から出没する左右の各腕部材を外方に突出させたときに、該各腕部材の突出部をそれぞれ水平姿勢と該水平姿勢より僅かに（水平線から約４°）下方傾斜させた下方傾斜姿勢とに変化させ得るようにしたものがある。
【００１７】
この公知例（特開２００４−１７３８０８号公報）のものは、各腕部材を外方突出状態で僅かに下方傾斜姿勢にすることができるので、整形すべき衣類が図１５（Ｃ）のような大サイズ衣類（ガウン）Ａ3の場合に、各袖部Ｂ，Ｂの上辺部Ｂａ，Ｂａをそれぞれ僅かに下方傾斜姿勢にした状態で整形可能であるが、肩掛材の各襟掛部の上辺部は水平のままであるので着せ掛けた衣類Ａ3の各肩部Ｃ，Ｃが水平姿勢のままとなり、整形状態での不自然さが残るという問題がある。
【００１８】
尚、整形すべき衣類の襟部・肩部・袖部を人型に対して自然状態で着せ掛けないと、後工程において不自然な状態のままでプレスされたり折畳まれてしまい、仕上がり状態が悪くなる。
【００１９】
そこで、本願発明は、上記した従来の衣類整形装置の問題点に鑑み、整形すべき衣類のサイズ（小サイズ、中サイズ、大サイズ）や種類（浴衣やガウン）に応じて人型の肩掛材に対して簡単な構成の補助襟掛材を付け替えることで、各種の衣類をそれぞれ適正状態に整形し得るようにした衣類整形装置の人型構造を提供することを目的としている。
【課題を解決するための手段】
【００２０】
本願発明は、上記課題を解決するための手段として次の構成を有している。尚、本願発明は、浴衣やガウンのような衣類をきれいに整形するための衣類整形装置であって、特に衣類を着せ掛けるための人型構造を対象にしている。
【００２１】
本願請求項１の発明
本願請求項１の発明の衣類整形装置は、整形すべき衣類を着せ掛けるための人型を衣類着せ掛け位置となる下動位置と衣類受け渡し位置となる上動位置との間で昇降せしめ得るようにしたものである。
【００２２】
人型は、衣類着せ掛け用の人型本体に、人型本体の上部中央に整形すべき衣類の肩部を掛ける肩掛材と、人型本体の上部寄り左右各側部からそれぞれ人型本体の内外に出没可能に設置され且つ外方突出時に人型本体に着せ掛けた衣類の各袖を左右横方向に広げた状態で支持できる左右の各腕部材と、該各腕部材を人型本体の内外に出没させる腕部材出し入れ装置とをそれぞれ設けて構成している。尚、本願請求項１で使用する人型は、例えば図１３の従来例のものとほぼ同構造のものを使用できる。
【００２３】
人型の肩掛材は、前後同形の２枚の型板を小間隔を隔てて一体化したものであって、整形すべき衣類の肩幅程度の左右長さを有する肩掛部と、該肩掛部の上部中央において上方に突出し且つ小サイズの衣類の襟部を掛けるのに適した幅の襟掛部とを有している。尚、肩掛材の肩掛部は、襟掛部の左右各外側に一対ある。
【００２４】
本願の人型構造では、別部材として肩掛材に着脱自在に係止される補助襟掛材を備えている。この補助襟掛材は、肩掛材の両型板間の小隙間内に挿入し得る薄板状であって、肩掛材の襟掛部の幅より大きい幅の襟掛部を有している。尚、この補助襟掛材は、１つの形状だけでもよいが、整形すべき衣類のサイズ（中サイズ用・大サイズ用）に応じて襟掛部幅の異なる複数のものを容易しておくとよい。又、この補助襟掛材は、全体を１枚物の板材で成形した一体型のものでも、左右に２分割した分割型のものでもよい。
【００２５】
本願の人型構造では、肩掛材と補助襟掛材との間に、補助襟掛材を肩掛材に対して着脱自在に係止するための係止手段を設けている。この係止手段は、肩掛材の両型板間に前後方向に向く複数個の係止ピンを設けている一方、補助襟掛材に各係止ピンに嵌合し得る複数の嵌合溝を設けたものを使用している。そして、この係止手段は、補助襟掛材側の各嵌合溝を肩掛材側の各係止ピンに係脱自在に嵌合させることで、補助襟掛材を肩掛材に対して着脱自在に係止し得るようにしている。
【００２６】
尚、人型の設置位置の直上方位置には、図１４に示す公知例と同様に、人型が上動位置まで上昇したときに該人型に整形された状態で着せ掛けられている衣類を整形された姿勢のままで受取る衣類保持装置が設置されている。この衣類保持装置は、衣類を後工程（例えばプレス工程）側へ移送するための衣類移送装置の一部となるもので、衣類保持装置で受取った衣類を衣類移送装置により整形姿勢のままで後送し得るようになっている。
【００２７】
本願請求項１の人型構造では、人型の肩掛材に対して補助襟掛材を取付けないで使用する場合と、整形すべき衣類の襟部幅に応じた所定形状の補助襟掛材を肩掛材に取付けて使用する場合がある。そして、肩掛材に補助襟掛材を取付けない状態では、人型の襟掛部の幅が小サイズ衣類の襟部幅に適合しており、肩掛材に所定形状の補助襟掛材を取付けると、人型の実質襟掛部の幅を整形すべき衣類の襟部幅に適合させることができる。
【００２８】
ところで、ランドリー工場では、浴衣やガウン等の衣類は、そのサイズごと及び種類ごとに多数枚をまとめて順次整形し、後工程側に移送させる作業を行うが、その際、整形すべき衣類は整形作業前に予めサイズごと及び種類ごとに分別しておく。
【００２９】
本願請求項１の衣類整形装置は、次のように使用される。まず整形すべき衣類が小サイズの浴衣の場合は、人型の肩掛材に補助襟掛材を取付けないで行う。この場合、肩掛材の襟掛部の幅は、小サイズ衣類の整形状態での襟部幅に適合しているので、該小サイズ衣類の襟部及び肩部を適正姿勢（過不足なくフィットした姿勢）で人型に着せ掛けることができる。尚、肩掛材に補助襟掛材を取付けない状態で、人型に大サイズ衣類を着せ掛けると、衣類の襟部にダブツキが生じ易くなり、きれいに（フィットした状態で）着せ掛けられない。
【００３０】
次に、人型に衣類を着せ掛けた状態で、腕部材出し入れ装置によって各腕部材を外方に突出させると、該各腕部材の先端部が衣類の各袖部内に侵入していき、該各袖部を左右に広げる。そして、この状態（衣類を人型に着せ掛けた状態）で手作業により衣類の整形を行い、その後、人型を最上動させる。すると、衣類の襟部、肩部上辺部、及び各袖部上辺部が衣類保持装置側に差し込まれて保持される。その後、各腕部材を人型本体内に格納させ、衣類保持装置を作動させて衣類を整形させたまま搬送コンベア側に取り込むとともに、人型を元の位置まで下動させると、１つの衣類の処理が完了する。
【００３１】
他方、中サイズ（又は大サイズ）の浴衣のように襟部幅が小サイズのものより大きい衣類を整形するには、その整形状態での襟部幅に対応した襟掛部幅をもった補助襟掛材を肩掛材に取付ける。補助襟掛材の肩掛材への取付けは、肩掛材と補助襟掛材間に設けた係止手段で行うが、該補助襟掛材の取付け及び取外しは補助襟掛材側の各嵌合溝を肩掛材側の各係止ピンに嵌脱させることで行えるので、該補助襟掛材の取付け及び取外し作業は簡単に行える。尚、補助襟掛材を肩掛材に取付けた状態では、補助襟掛材側の複数の嵌合溝が肩掛材側の複数の係止ピンにそれぞれ嵌合している。この状態では、補助襟掛材の襟掛部が人型の実質襟掛部となるが、この襟掛部幅は整形しようとする中サイズ（又は大サイズ）衣類の整形状態での襟部幅に適合している。そして、その襟掛部幅に適合する中サイズ（又は大サイズ）衣類を人型に着せ掛けると、該中サイズ（又は大サイズ）衣類の襟部及び肩部を適正姿勢（過不足なくフィットした姿勢）で着せ掛けることができる。以下同様に、各腕部材を外方に突出させ→手作業により衣類の整形を行い→人型を最上動させ→衣類の襟部、肩部上縁、及び各袖部上縁を衣類保持装置に保持させ→各腕部材を人型本体内に格納させ→衣類保持装置で衣類を整形させたまま搬送コンベア側に取り込み→人型を元の位置まで下動させると衣類の処理が完了する。又、肩掛材に装着している補助襟掛材は、係止手段を係止解除する（各嵌合溝を各係止ピンから外す）ことで肩掛材から簡単に取外すことができる。
【００３２】
本願請求項２の発明
本願請求項２の発明は、上記請求項１の人型構造において、肩掛材として前後同形の２枚の型板を小隙間を隔てて一体化したものを使用し、補助襟掛材として前記小隙間内に挿入し得る薄板状で且つ左右に２分割した分割型板を使用している。又、この請求項２の人型構造では、係止手段として、肩掛材両型板間の小隙間内に各分割型板をそれぞれ係止する複数個ずつの係止ピンをそれぞれ前後向き姿勢で設ける一方、各分割型板に該分割型板を前記小隙間内に上方から挿入した後、中央側に横移動させることで各係止ピンに係止できる横向きの嵌合溝を設けたものを使用している。
【００３３】
補助襟掛材の各分割型板には、それぞれ半割り襟掛部が形成されており、該各分割型板を肩掛材に装着した状態では各半割り襟掛部により合成された襟掛部が形成される。
【００３４】
各分割型板の嵌合溝は、肩掛材側の係止ピンに嵌合できる横向き部分を有しているが、この横向きの嵌合溝は片側の分割型板にそれぞれ２箇所ずつ設ける一方、肩掛材側の係止ピンも左右に２箇所ずつ（合計４箇所）設けて、各分割型板がそれぞれ２箇所で位置保持されるようになっている。そして、各分割型板を肩掛材側の小隙間内に上方から挿入した後、該各分割型板をそれぞれ中央側に横移動させることで、嵌合溝の横向き部分の外側端部が係止ピンに衝合するようになっている。このとき、各分割型板の各半割り襟掛部の位置が決められて、各半割り襟掛部からなる合成襟掛部の幅が中サイズ（又は大サイズ）衣類の襟部幅に適合するようになっている。
【００３５】
この請求項２の人型構造では、補助襟掛材となる各分割型板を肩掛材に装着する際に、各分割型板側の嵌合溝を肩掛材側の係止ピンに係止させるだけでよい。又、補助襟掛材となる各分割型板は、その装着状態から肩掛材に対してそれぞれ外側に移動させた後、上動させることで肩掛材から取外すことができる。
【００３６】
ところで、肩掛材に各分割型板（補助襟掛材となる）を装着した状態で衣類の襟部を各分割型板に掛ける場合に、該襟部を各分割型板の半割り襟掛部に外側から掛ける（各分割型板に対して中央側に押圧する力が働く）が、そのとき、横向きの嵌合溝の外側端部が係止ピンに衝合しているので、各分割型板がそれ以上、中央側に移動することがない。又、各分割型板が肩掛材に対して外方側移動が可能な状態で装着されていても、衣類の襟部着せ掛け時には各分割型板を外側に移動させるような作用力が働くことがないので、各分割型板が肩掛材に対して不用意に位置ずれすることはない。
【００３７】
本願請求項３の発明
本願請求項３の発明は、上記請求項１又は２の人型構造において、次の構成を有している。尚、この請求項３の人型構造は、ガウンのような大サイズ衣類を整形するのに適したものであり、ガウンのような大サイズ衣類では、襟部を広げた自然状態の整形姿勢において両肩部の上辺部及び両袖部の上辺部がそれぞれ外方に僅かな角度（例えば４°程度）だけ下方傾斜している。
【００３８】
そして、本願請求項３では、人型として、各腕部材を外方に突出させたときに該各腕部材の突出部をそれぞれ水平姿勢と該水平姿勢より僅かに下方傾斜させた下方傾斜姿勢とに変化させ得るようにしたものを使用している。腕部材を外方に突出させたときの下方傾斜角度は、水平線に対して角度４°程度が適当である。尚、各腕部材を外方突出状態において水平姿勢と下方傾斜姿勢とに変化させる構造としては、例えば上記特開２００４−１７３８０８号公報に採用しているものを使用できる。又、人型の肩掛材の左右各肩掛部の上辺部は水平に形成している。
【００３９】
他方、補助襟掛材の襟掛部の左右各外側には、それぞれ衣類の各肩部を掛ける肩掛部を形成している。尚、この請求項３の補助襟掛材は、請求項１のように左右の襟掛部を有する一体物でもよいし、請求項２のように左右に２分割した各分割型板で構成したものでもよい。そして、一体物の補助襟掛材では、左右の各襟掛部の外側にそれぞれ肩掛部を設け、２分割した各分割型板からなる補助襟掛材では、各分割型板の半割り襟掛部の外側に肩掛部を設ける。
【００４０】
補助襟掛材の各肩掛部の上辺部は、それぞれ外側に向けて水平より僅かに下方傾斜するように形成している。この肩掛部の下方傾斜角度は、腕部材を下方傾斜姿勢で外方に突出させた状態での腕部材下方傾斜角度（４°程度）と同じに設定するとよい。尚、以下の説明において「下方傾斜姿勢」という表現は、「水平姿勢より僅かに（角度４°程度）下方傾斜させた姿勢」を意味するものである。
【００４１】
そして、この請求項３の人型構造では、補助襟掛材を肩掛材に装着した状態で、補助襟掛材の各肩掛部の上辺部が肩掛材の各肩掛部の上辺部より僅かに突出する位置で下方傾斜（下方傾斜角度４°）するように設定している。尚、補助襟掛材を肩掛材に装着した状態で、各腕部材を下方傾斜姿勢で外方に突出させたときには、補助襟掛材の各肩掛部の上辺部と各腕部材の突出部上面とがほぼ直線状に連続して下方傾斜するようになる。
【００４２】
この請求項３の人型構造では、浴衣のような薄手の衣類（袖部を広げた整形状態において肩部及び袖部の上辺部が水平なもの）を整形するには、この請求項３の補助襟掛材を肩掛材に装着しないで上記請求項１のように使用する。
【００４３】
又、整形すべき衣類が、例えばガウンのような大サイズ衣類で、肩部上辺部及び袖部上辺部を下方傾斜姿勢（例えば下方傾斜角度が４°）で整形すべきものでは、腕部材姿勢変更装置により各腕部材が下方傾斜姿勢状態で突出するように設定するとともに、人型の肩掛材に補助襟掛材（各肩掛部が下方傾斜している）を装着する。そして、人型に大サイズ衣類（ガウン）を着せ掛けるが、補助襟掛材の襟掛部及び各肩掛部（上辺部が下方傾斜している）により衣類の襟部及び肩部をきれいに整形した状態で着せ掛けることができる。続いて、各腕部材を外方に突出させると、着せ掛けた衣類の各袖部が左右に広げられる。このとき、補助襟掛材の左右各肩掛部の上辺部及び左右各腕部材が、それぞれ着せ掛け衣類（ガウン）の肩部及び袖部上辺部の自然形状（僅かに下方傾斜している）と合致しており、衣類を自然形状のままで整形できる。その後、手作業により衣類の整形を行い→人型昇降装置により人型を最上動させ→衣類の襟部、肩部上辺部、袖部上辺部を衣類保持装置側に差し込んで保持させ→各腕部材を人型本体内に格納させ→衣類保持装置を作動させて衣類を整形させたまま搬送コンベア側に取り込み→人型を元の位置まで下動させると、１つの衣類の処理が完了する。尚、このように、両肩部上辺部及び両袖部上辺部をそれぞれ下方傾斜姿勢で広げるものでも、その肩部上辺部及び袖部上辺部の下方傾斜角度は僅か（例えば傾斜角度が４°）であるので、衣類保持装置に衣類の肩部上辺部及び袖部上辺部を同時に無理なく保持させることができる。従って、両袖が所望の下方傾斜姿勢のままで衣類を搬送コンベア側に取り込むことができる。
【発明の効果】
【００４４】
本願請求項１の発明の効果
本願請求項１の衣類整形装置の人型構造は、人型の肩掛材として小サイズ衣類の襟部に適応した襟掛部を有するものを使用し、別部材として肩掛材の襟掛部より大きい幅の襟掛部を有した補助襟掛材を準備しておくとともに、肩掛材と補助襟掛材との間に補助襟掛材を肩掛材に対して着脱自在に装着するための係止手段を設けている。
【００４５】
そして、小サイズ衣類を整形する場合には、補助襟掛材を装着しないで衣類の襟部及び肩部を直接肩掛材に掛け、他方、中サイズ（又は大サイズ）衣類を整形する場合には、肩掛材に補助襟掛材を装着して衣類の襟部を該補助襟掛材の襟掛部に掛ける。
【００４６】
このように、本願請求項１の衣類整形装置の人型構造では、整形すべき衣類のサイズに応じて補助襟掛材の使用・不使用を選択できるので、１台の人型構造で異なるサイズの衣類をそれぞれきれいに整形することができるという効果がある。
【００４７】
又、補助襟掛材は肩掛材に対して係止手段により着脱自在に装着されるが、この係止手段は、肩掛材側に設けた複数個の係止ピンに対して補助襟掛材側に設けた複数の嵌合溝を嵌合させるようにしたものであるので、該係止手段として簡単な構成で且つ安価なものを採用できるとともに、補助襟掛材の着脱操作が簡単に行えるという効果がある。尚、例えば特開２００５−８７２２３号公報（特許文献２）のように、整形すべき衣類の襟部幅に応じて襟掛部幅を調整し得るようにしたものが公知となっているが、この場合は、各襟部材を肩掛材に対して移動自在にガイドするためのガイド構造が必要であるとともに、各襟部材移動用のエアシリンダ及び該エアシリンダ操作のための構成（エアー配管、エアー切換弁、操作スイッチ、電気配線等）が必要であるので、構造が複雑で且つコストアップになる。  
又、補助襟掛材を肩掛材に装着させた状態では、補助襟掛材側の複数の嵌合溝が肩掛材側のそれぞれの係止ピンに嵌合しているので、該補助襟掛材が安定姿勢で且つ確実に位置決めされるという効果がある。
【００４８】
本願請求項２の発明の効果
本願請求項２の発明は、上記請求項１の人型構造において、肩掛材として前後同形の２枚の型板を小隙間を隔てて一体化したものを使用し、補助襟掛材として肩掛材両型板間の小隙間内に挿入し得る薄板状で且つ左右に２分割した分割型板を使用し、係止手段として肩掛材両型板間の小隙間内に各分割型板をそれぞれ係止する複数個ずつの係止ピンをそれぞれ前後向き姿勢で設ける一方、各分割型板に該分割型板を前記小隙間内に上方から挿入した後、中央側に横移動させることで各係止ピンに係止できる横向きの嵌合溝を設けたものを使用している。
【００４９】
この請求項２の人型構造では、各分割型板（補助襟掛材となる）を肩掛材に装着した状態では、各分割型板が外方側に移動可能であるものの、各分割型板の横向き嵌合溝の外端部が係止ピンに衝合しているので各分割型板がそれ以上、内方側に移動することがない。尚、各分割型板を肩掛材に装着した状態で人型に衣類を着せ掛ける場合には、衣類の襟部を掛けるときに各分割型板を内方側に押す作用が働くが、各分割型板を外方側に移動させるような作用は働かない。
【００５０】
従って、この請求項２の発明では、上記請求項１の効果に加えて、補助襟掛材（各分割型板）を肩掛材に対して安定状態で装着するのにビス等の固定手段が不要となって各分割型板の着脱操作が簡単に行える。又、ビス等の固定手段を用いない構造の係止手段であっても補助襟掛材（各分割型板）を安定状態で装着できるという効果がある。
【００５１】
本願請求項３の発明の効果
本願請求項３の発明は、上記請求項１又は２の人型構造において、人型として各腕部材を外方に突出させたときに該各腕部材の突出部をそれぞれ水平姿勢と該水平姿勢より僅かに下方傾斜させた下方傾斜姿勢とに変化させ得るようにしたものを使用する一方、肩掛材の左右各肩掛部の上辺部を水平に形成し、補助襟掛材の襟掛部の左右各外側にそれぞれ肩掛部を形成して、該各肩掛部の上辺部をそれぞれ外側に向けて水平より僅かに下方傾斜するように形成するとともに、補助襟掛材を肩掛材に装着した状態で、補助襟掛材の各肩掛部の上辺部が肩掛材の各肩掛部の上辺部より僅かに突出する位置で下方傾斜するように設定している。
【００５２】
そして、この請求項３の人型構造では、補助襟掛材を使用しない状態では、自然な整形状態において肩部上辺部及び袖部上辺部がそれぞれ水平になる小サイズ衣類（浴衣）をきれいに着せ掛けることができる一方、補助襟掛材を装着した状態（この場合は各腕部材を下方傾斜姿勢で突出させ得るように設定する）では、ガウンのような大サイズ衣類（自然な整形状態において肩部上辺部及び袖部上辺部がそれぞれ僅かに下方傾斜する）をきれいに着せ掛けることができるようになっている。
【００５３】
従って、この請求項３の人型構造では、上記請求項１又は２の効果に加えて、補助襟掛材の使用・不使用を選択することで、１台で浴衣のような小サイズ又は中サイズ衣類（整形状態で肩部及び袖部が水平となる）とガウンのような大サイズ衣類（整形状態で肩部及び袖部が僅かに下方傾斜する）をそれぞれきれいに整形することができるという効果がある。
【実施例】
【００５４】
図１〜図１２を参照して本願実施例の衣類整形装置の人型構造を説明すると、この衣類整形装置は、例えばクリーニング工場において洗濯済の多数枚の衣類（例えば浴衣、ガウンなど）を順次整形した状態で後工程（例えばプレス工程→折畳み工程）へ供給するためのものである。
【００５５】
この実施例の人型構造は、図１に示すように、整形すべき衣類Ａを着せ掛けるための人型２と、該人型２に上部に取付けた肩掛材４に対して着脱自在に装着される複数種類（図示例では４種類）の補助襟掛材５Ａ〜５Ｄとで構成されている。
【００５６】
人型２は、衣類着せ掛け用の人型本体３に、該人型本体３の上部位置にあって整形すべき衣類Ａの肩部Ｃを掛ける肩掛材４と、人型本体３の上部寄り左右各側部からそれぞれ人型本体３の内外に出没可能に設置され且つ外方突出時（図２）に人型本体３に着せ掛けた衣類Ａの各袖部Ｂ，Ｂを左右横方向に広げた状態で支持できる左右の各腕部材６，６と、該各腕部材６，６を人型本体３の内外に出没させる腕部材出し入れ装置７と、各腕部材６，６の外方突出姿勢を水平姿勢（図２）と該水平姿勢より僅かに下方傾斜する下方傾斜姿勢（図６）とに調整し得る腕部材姿勢変更装置２０，２０とをそれぞれ設けている。
【００５７】
尚、本願の実施例においても、「下方傾斜姿勢」という表現は、「水平姿勢より僅かに下方傾斜させた姿勢」を意味するものである。又、下方傾斜姿勢の腕部材６の傾斜角度ａ（図５）は、特に限定するものではないが、水平線Ｌから例えば角度４°程度下方傾斜させたものである。
【００５８】
人型２は、基台１上で人型昇降装置（エアシリンダ）８により図２に示す下動位置と図３に示す上動位置との間で昇降せしめ得るようになっている。尚、人型昇降装置となるエアシリンダ８は、２段階伸縮式のものを採用でき、その場合は、エアシリンダ８の中間伸長状態で人型２を上下中間高さに位置させることができる。そして、人型２が下動位置（図２）にあるときには、人型２の肩掛材４の上面高さが作業員の背の高さよりかなり低位置（地面からまでの高さが例えば１２５０mm程度）となり、又、人型昇降装置（エアシリンダ）８を２段階伸縮させるものを使用した場合において、人型２が上下中間高さにあるときには、該肩掛材４の上面高さが作業員のほぼ目の高さ位置（地面から肩掛材４上面までの高さが例えば１５５０mm程度）となり、さらに人型２が上動位置（図３）にあるときには、該肩掛材４の上面高さが作業員の背の高さよりかなり上方位置（地面から肩掛材４上面までの高さが例えば１８５０mm程度）となるようにそれぞれ設定されている。
【００５９】
人型本体３は、内部が中空で人の肩部から腰の位置までの範囲の高さを有する腕なしの胸像の形状に形成されている。又、人型本体３には、その下端からさらにかなりの長さ（例えば６０〜７０cm程度）だけ下方に突出する支柱３１が一体に取付けられている。
【００６０】
肩掛材４は、整形すべき衣類Ａの肩幅程度の左右長さを有する肩掛部４１，４１と、該肩掛部４１の中央において上方に突出する襟掛部４２とを有している。又、この肩掛材４は、図７及び図８に示すように、前後同形の２枚の型板４０，４０を小隙間４４を隔てて一体化させたものを使用している。両型板４０，４０間の小隙間４４は、後述するように薄板状（厚さ約２mm）の補助襟掛材（５Ａ〜５Ｄ）を上方から落とし込むためのスペースとなるものであり、両型板４０，４０間の下端部において薄板状のスペーサ４３を介在させて両型板４０，４０間の上部側に小隙間４４を確保している。そして、この肩掛材４は、その下端部を人型本体３内に設けたガイド板３２の上辺部にビス止めによって固定している。
【００６１】
尚、肩掛材４の各型板４０，４０は厚さが２mm程度で、両型板４０，４０間の小隙間４４は２〜３mm程度であるが、図７及び図８には見易くするために型板４０の厚さ及び小隙間４４の間隔をかなり大きく表示している。
【００６２】
肩掛材４の襟掛部４２は、整形すべき衣類の襟部形状に合わせて左右側縁を下方に末広がり状に傾斜させた形状に形成している。そして、この襟掛部４２の幅Ｘ1（図１）は、図１５（Ａ）に示す小サイズ衣類Ａ1の襟部幅Ｗ1（Ｗ1＝１５〜１８cm）に対応する幅（Ｘ1＝１４〜１５cm）に設定している。
【００６３】
肩掛材４の左右幅は、約４６cm程度である。又、肩掛材４の左右各肩掛部４１，４１の上辺部４１ａ，４１ａは、それぞれ水平に形成している。
【００６４】
左右の各腕部材６，６は、厚さが２〜３mm、幅が２０〜３０mm、長さが６００〜７００mm程度の「く」形で棒状のものが採用されている。尚、２つの腕部材６，６は、同じものを左右対称形に配置している。
【００６５】
人型本体３の内部には、左右の各腕部材６，６をそれぞれ出没自在にガイドするためのガイド板３２，３２が設けられている。この各ガイド板３２，３２にはそれぞれ縦向き円弧状のガイド溝３３，３３が設けられている。この各ガイド溝３３，３３は、各腕部材６，６の基端部６１に取付けた一対のローラ６３，６４をそれぞれガイドしている。
【００６６】
各腕部材出し入れ装置７，７には、それぞれエアシリンダが採用されている。この各腕部材出し入れ装置７，７は、そのチューブ側を前記支柱３１の下端部に連結し、ロッド側を腕部材６の基端部６１の基側ローラ６３と同心位置に連結して取付けられている。
【００６７】
そして、この各腕部材出し入れ装置７，７を最縮小させた状態では、各腕部材６，６を人型本体３内に没入させ（図１の状態）、該各腕部材出し入れ装置７，７を最伸長させた状態では、各腕部材６，６を人型本体３の側部から外方に突出させるようになっている（図２の状態）。尚、各腕部材６，６の外方突出状態では、図２に示すように該各腕部材６，６の上辺部がそれぞれ肩掛材４の左右各肩掛部４１，４１の上辺部と同高さに位置するようになっている。
【００６８】
この人型２には、各腕部材６，６を外方に突出させたときに、該各腕部材６，６を水平姿勢（図２）と該水平姿勢より僅かに下方傾斜させた下方傾斜姿勢（図６）とに調整し得る腕部材姿勢変更装置２０，２０を備えている。
【００６９】
この腕部材姿勢調整装置２０は、図４及び図５に拡大図示するように、腕部材６を外方に突出させたときに（腕部材６の基端部６１をガイド溝３３の最上部まで移動させた状態で）、腕部材基端部６１を若干角度を変えて支持する支持部材２１を使用している。この支持部材２１は、カム板２２とエアシリンダ２３とを有している。カム板２２はピン２４でガイド板３２に枢着されていて、該カム板２２をエアシリンダ２３によりピン２４を中心にして揺動し得るようになっている。
【００７０】
そして、図４に示すように、エアシリンダ２３の伸長状態では、カム板２２の衝合面２２ａが先側ローラ６４付近の腕部材基端部６１を下面側から支持して、腕部材６の外方突出部６ａを水平姿勢（符号Ｌ）に維持し得るようになっている。他方、図５に示すように、エアシリンダ２３の縮小状態では、カム板２２の衝合面２２ａが外方に後退し、そのとき先側ローラ６４がガイド溝上端部３３ａの下面側に衝合して、腕部材６の外方突出部６ａが水平線Ｌから若干角度ａ（ａ＝約４°）だけ下方傾斜した姿勢に維持されるようになっている。尚、この腕部材姿勢変更装置２０は、同構造のものが左右対称位置に設けられており、各腕部材姿勢変更装置２０，２０のエアシリンダ２３，２３は同時に同方向に伸縮作動せしめられる。
【００７１】
人型２は、人型本体３に固定した支柱３１部分が基台２上に設けられた箱状の保護ケース９にガイドされて、水平面内で回動不能状態で上下動可能なる如く支持されている。
【００７２】
人型２の設置位置の直上方位置には、図２及び図３に示すように、人型２に着せ掛けられている衣類Ａの上端部を表裏両側から挟み込んで該衣類Ａを整形されたままの姿勢で保持することのできる衣類保持装置１２が設けられている。尚、この衣類保持装置１２で保持された衣類Ａは、そのまま衣類移送装置によって後工程（例えばプレス工程）に移送されるようになっている。
【００７３】
本願の人型構造では、図１及び図７に示すように、人型の肩掛材４に対して着脱自在に装着される補助襟掛材５Ａ〜５Ｄが別部材として用意されている。この補助襟掛材としては、この実施例では、図１及び図７に符号５Ａ〜５Ｄで示す４種類のもの（第１補助襟掛材５Ａ〜第４補助襟掛材５Ｄ）を採用している。これら第１〜第４の各補助襟掛材５Ａ〜５Ｄは、厚さ２mm程度の型板５０（第１と第２の各補助襟掛材５Ａ，５Ｂの場合）又は分割型板５５，５５（第３と第４の各補助襟掛材５Ｃ，５Ｄの場合）が使用されている。
【００７４】
第１〜第４の各補助襟掛材５Ａ〜５Ｄは、各補助襟掛材５Ａ〜５Ｄと肩掛材４との間に設けた係止手段１０により、それぞれ図９〜図１２に示すように、肩掛材４に対して着脱自在に装着されるようになっている。
【００７５】
肩掛材４側の係止手段１０としては、図７に示すように、両型板４０，４０間の小隙間４４内に合計６つの係止ピン４７Ａ〜４７Ｆを前後横向き姿勢で設けたものを採用している。この係止ピン４７Ａ〜４７Ｆは、上段側に左右に間隔をもって４箇所と、下段側に左右に間隔をもって２箇所にそれぞれ取付けられている。尚、他の実施例では、合計６つの係止ピン４７Ａ〜４７Ｆのうち、下段側２箇所の係止ピン４７Ｅ，４７Ｆを省略してもよい。
【００７６】
第１補助襟掛材５Ａについて
符号５Ａ（図１、図７、図９）の第１補助襟掛材は、図１５（Ｂ）に示す中サイズ衣類Ａ2の襟部（襟部幅Ｗ2）を整形するのに適したもので、この第１補助襟掛材５Ａは、１枚物の型板５０で形成している。この第１補助襟掛材５Ａは、左右全長が肩掛材４の左右長さと同じで、中央部に上方に突出する襟掛部５２を形成しているとともに、該襟掛部５２の左右各外側にそれぞれ肩掛部５１，５１を形成している。尚、図９には、この第１補助襟掛材５Ａの使用例を示している。
【００７７】
第１補助襟掛材５Ａの襟掛部５２は、その左右側縁をそれぞれ下方に末広がり状に傾斜させているとともに、その襟掛部幅Ｘ2（図９参照）は、図１５（Ｂ）に示す中サイズ衣類Ａ2の襟部幅Ｗ2に対応させて設定している。即ち、中サイズ衣類Ａ2の襟部幅Ｗ2が１６〜１９cmであるのに対して、第１補助襟掛材５Ａの襟掛部幅Ｘ2（図９）を例えば１cm減の１５〜１８cm程度に設定している。
【００７８】
又、この第１補助襟掛材５Ａでは、各肩掛部５１，５１の上辺部５１ａ，５１ａはそれぞれ水平となっている。
【００７９】
この第１補助襟掛材５Ａ側の係止手段１０としては、型板５０の下辺部において、肩掛材４側の上段側の４つの係止ピン４７Ａ〜４７Ｄにそれぞれ嵌合する上向きで深さの深い４つの嵌合溝５３，５３・・と、肩掛材４側の下段側の２つの係止ピン４７Ｅ，４７Ｆにそれぞれ嵌合する上向きで深さの浅い２つの嵌合溝５４，５４とを有している。
【００８０】
そして、この第１補助襟掛材５Ａを肩掛材４に装着するには、図９に鎖線図示するように、第１補助襟掛材５Ａを肩掛材４の上方から左右に位置合わせしながら肩掛材４の小隙間４４（図７、図８）内に落とし込む。すると、第１補助襟掛材５Ａ側の各嵌合溝５３，５３・・、５４，５４が肩掛材４側の各係止ピン４７Ａ〜４７Ｆにそれぞれ上方から嵌合し（各嵌合溝の上端が各係止ピンに衝合する）、図９に実線図示するように第１補助襟掛材５Ａを肩掛材４に装着できる。この装着状態では、第１補助襟掛材５Ａの各肩掛部５１，５１の上辺部５１ａ，５１ａがそれぞれ肩掛材４の各肩掛部上辺部４１ａ，４１ａと同高さに位置しているとともに、第１補助襟掛材５Ａの襟掛部５２の左右側縁が肩掛材４の襟掛部４２の左右側縁よりそれぞれ所定幅ずつ左右外側にはみ出している。そして、第１補助襟掛材５Ａの装着状態では、該第１補助襟掛材５Ａの襟掛部５２が人型２の実質襟掛部となる。又、この第１補助襟掛材５Ａの装着状態では、実質襟掛部が中サイズ衣類Ａ2の襟部幅Ｗ2に適合し、この人型２に中サイズ衣類Ａ2を着せ掛けたときに襟部Ｄに過不足がなくなってきれいに整形できる。尚、第１補助襟掛材５Ａを肩掛材４から外すには、該第１補助襟掛材５Ａ（型板５０）を上方に抜き外せばよい。
【００８１】
第２補助襟掛材５Ｂについて
符号５Ｂ（図１、図７、図１０）の第２補助襟掛材は、図１５（Ｃ）に示すガウンのような大サイズ衣類Ａ3の襟部（襟部幅Ｗ3）を整形するのに適したもので、この第２補助襟掛材５Ｂも、１枚物の型板５０で形成している。この第２補助襟掛材５Ｂは、第１補助襟掛材５Ａと同様に、左右全長が肩掛材４の左右長さと同じで、中央部に上方に突出する襟掛部５２を形成しているとともに、該襟掛部５２の左右各外側にそれぞれ肩掛部５１，５１を形成している。尚、図１０には、この第２補助襟掛材５Ｂの使用例を示している。
【００８２】
第２補助襟掛材５Ｂの襟掛部５２は、その左右側縁をそれぞれ下方に末広がり状に傾斜させているとともに、その襟掛部幅Ｘ3（図１０参照）は、図１５（Ｃ）に示すガウンのような大サイズ衣類Ａ3の襟部幅Ｗ3に対応させて設定している。即ち、ガウンのような大サイズ衣類Ａ3の襟部幅Ｗ3が２０〜２２cmであるのに対して、第２補助襟掛材５Ｂの襟掛部幅Ｘ3を例えば１cm減の１９〜２１cm程度に設定している。
【００８３】
又、この第２補助襟掛材５Ｂでは、各肩掛部５１，５１の上辺部５１ａ，５１ａをそれぞれ外側に向けて水平より僅かに下方傾斜させている。この各上辺部５１ａ，５１ａの下方傾斜角度ａ（図１、図７、図１０）は、上記腕部材６の下方傾斜姿勢（図５）での傾斜角度ａと同じ約４°である。
【００８４】
この第２補助襟掛材５Ｂ側の係止手段１０としては、第１補助襟掛材５Ａと同様に、型板５０の下辺部において、肩掛材４側の上段側の４つの係止ピン４７Ａ〜４７Ｄにそれぞれ嵌合する上向きで深さの深い４つの嵌合溝５３，５３・・と、肩掛材４側の下段側の２つの係止ピン４７Ｅ，４７Ｆにそれぞれ嵌合する上向きで深さの浅い２つの嵌合溝５４，５４とを有している。
【００８５】
そして、この第２補助襟掛材５Ｂを肩掛材４に装着するには、第１補助襟掛材５Ａ（図９）の場合と同様に、図１０に鎖線図示するように第２補助襟掛材５Ｂを肩掛材４の上方から左右に位置合わせしながら肩掛材４の小隙間４４（図７、図８）内に落とし込む。すると、第２補助襟掛材５Ｂ側の各嵌合溝５３，５３・・、５４，５４が肩掛材４側の各係止ピン４７Ａ〜４７Ｆにそれぞれ上方から嵌合し（各嵌合溝の上端が各係止ピンに衝合する）、図１０に実線図示するように第２補助襟掛材５Ｂを肩掛材４に装着できる。
【００８６】
図１０に実線図示するように第２補助襟掛材５Ｂを装着した状態では、該第２補助襟掛材５Ｂの襟掛部５２の左右側縁が肩掛材４の襟掛部４２の左右側縁よりそれぞれ所定幅（大サイズ衣類Ａ3の襟部幅Ｗ3に見合う幅）ずつ左右外側にはみ出している。又、この装着状態では、該第２補助襟掛材５Ｂの各肩掛部５１，５１の上辺部５１ａ，５１ａがそれぞれ肩掛材４の各肩掛部４１，４１の上辺部より僅かに突出する位置で下方傾斜し、且つ第２補助襟掛材５Ｂの各肩掛部上辺部５１ａ，５１ａの先端部高さが肩掛材４の各肩掛部上辺部の先端部高さと同高さに位置している。
【００８７】
従って、図１０に示す第２補助襟掛材５Ｂの装着状態では、該第２補助襟掛材５Ｂの襟掛部５２が大サイズ衣類（ガウン）Ａ3の襟部幅Ｗ3に適合して衣類襟部Ｄに過不足がなくなり、しかも大サイズ衣類Ａ3の左右各肩部Ｃ，Ｃが大サイズ衣類（ガウン）の自然形状に応じた下方傾斜姿勢となるので、この人型２に大サイズ衣類Ａ3を着せ掛けたときにきれいに整形できる。尚、第２補助襟掛材５Ｂを肩掛材４から外すには、該第２補助襟掛材５Ｂ（型板５０）を上方に抜き外せばよい。
【００８８】
第３補助襟掛材５Ｃについて
符号５Ｃ（図１、図７、図１１）の第３補助襟掛材は、図１５（Ｂ）に示す中サイズ衣類Ａ2の襟部（襟部幅Ｗ2）を整形するのに適したもので、この第３補助襟掛材５Ｃは、左右２枚の分割型板５５，５５で形成している。尚、図１１には、この第３補助襟掛材５Ｃの使用例を示している。
【００８９】
第３補助襟掛材５Ｃの各分割型板５５，５５は、外形が上記第１補助襟掛材５Ａの１枚物の型板５０を左右に２分割した形状である。各分割型板５５，５５の内方側側縁は、それぞれ若干幅だけ削除しており、肩掛材４に装着した状態で両分割型板５５，５５間に若干幅の隙間ができるようにしている（図１１の実線図示状態）。
【００９０】
第３補助襟掛材５Ｃの各分割型板５５，５５には、半割り襟掛部５２Ａと該半割り襟掛部５２Ａの外側に肩掛部５１を一体成形している。この第３補助襟掛材５Ｃでは、各分割型板５５，５５の肩掛部５１，５１の上辺部５１ａ，５１ａはそれぞれ水平である。
【００９１】
この第３補助襟掛材５Ｃ（分割型板５５，５５）の係止手段１０としては、各分割型板５５，５５の下辺部において肩掛材４側の上段側左右外端にある係止ピン４７Ａ（又は４７Ｄ）に嵌合する逆Ｌ形（上向き部と外横向き部が連続している）の嵌合溝５６と、分割型板５５の内方側側縁において肩掛材４側の上段側中央寄りにある係止ピン４７Ｂ（又は４７Ｃ）に嵌合する横向きの嵌合溝５７とを有している。図１１において、右側の分割型板５５は、上段側右端部の係止ピン４７Ａと上段側で右から２番目の係止ピン４７Ｂに係止され、左側の分割型板５５は、上段側左端部の係止ピン４７Ｃと上段側で左から２番目の係止ピン４７Ｄに係止される。尚、肩掛材４の下段側の２つの係止ピン４７Ｅ，４７Ｆは、各分割型板５５，５５を肩掛材４に装着する際のガイド（受台）となるものであり、装着状態での係止機能はさほどない。
【００９２】
そして、この第３補助襟掛材５Ｃを肩掛材４に装着するには、図１１に鎖線図示するように、各分割型板５５，５５をそれぞれ肩掛材４の上方から左右に位置合わせしながら肩掛材４の小隙間４４（図７、図８）内に落とし込んだ後、中央側に移動させることで、第３補助襟掛材５Ｃ（各分割型板５５，５５）を図１１に実線図示する状態で装着できる。尚、この装着状態では、各分割型板５５，５５の肩掛部上辺部５１ａ，５１ａは、肩掛材４の各肩掛部上辺部４１ａ，４１ａと同高さになる。
【００９３】
図１１に実線図示する装着状態では、右側分割型板５５においては各嵌合溝５６，５７の各右端部がそれぞれ係止ピン４７Ａ，４７Ｂに衝合しており、左側分割型板５５においては各嵌合溝５６，５７の各左端部がそれぞれ係止ピン４７Ｄ，４７Ｃに衝合している。従って、各分割型板５５，５５は、それぞれ上下及び各外側には移動不能となり、ビスのような固定手段を使用しなくても各分割型板５５，５５の装着状態が安定する。
【００９４】
又、この第３補助襟掛材５Ｃの装着状態では、各分割型板５５，５５の半割り襟掛部５２Ａ，５２Ａの間隔（襟掛部幅）が図９に示す第１補助襟掛材５Ａの襟掛部幅Ｘ2と同じになっている。従って、第３補助襟掛材５Ｃの装着状態でも、該第３補助襟掛材５Ｃの襟掛部５２が中サイズ衣類Ａ2の襟部幅Ｗ2に適合し、この人型２に中サイズ衣類Ａ2を着せ掛けたときに襟部Ｄに過不足がなくなってきれいに整形できる。尚、第３補助襟掛材５Ｃを肩掛材４から外すには、各分割型板５５，５５をそれぞれ一旦外方に移動させた後、上方に抜き外せばよい。
【００９５】
第４補助襟掛材５Ｄについて
符号５Ｄ（図１、図７、図１２）の第４補助襟掛材は、図１５（Ｃ）に示すガウンのような大サイズ衣類Ａ3の襟部（襟部幅Ｗ3）を整形するのに適したもので、この第４補助襟掛材５Ｄも、第３補助襟掛材５Ｃと同様に左右２枚の分割型板５５，５５で形成している。尚、図１２には、この第４補助襟掛材５Ｄの使用例を示している。
【００９６】
第４補助襟掛材５Ｄの各分割型板５５，５５は、外形が上記第２補助襟掛材５Ｂの１枚物の型板５０を左右に２分割した形状である。尚、この第４補助襟掛材５Ｄの場合も、各分割型板５５，５５の内方側側縁をそれぞれ若干幅だけ削除しており、肩掛材４に装着した状態で両分割型板５５，５５間に若干幅の隙間ができるようにしている（図１２の実線図示状態）。
【００９７】
第４補助襟掛材５Ｄの各分割型板５５，５５も、半割り襟掛部５２Ａと該半割り襟掛部５２Ａの外側に肩掛部５１を一体成形しているが、この第４補助襟掛材５Ｄでは、各分割型板５５，５５の半割り襟掛部５２Ａ，５２Ａが第３補助襟掛材５Ｃ（図１１）の各分割型板５５，５５の半割り襟掛部よりそれぞれ若干幅だけ外方側に広幅となっている。又、各分割型板５５，５５の肩掛部５１，５１の上辺部５１ａ，５１ａはそれぞれ外側に向けて水平より僅かに下方傾斜させている。この各上辺部５１ａ，５１ａの下方傾斜角度ａ（図１、図７、図１２）は、上記腕部材６の下方傾斜姿勢（図５）での傾斜角度ａと同じ約４°である。
【００９８】
この第４補助襟掛材５Ｄ（各分割型板５５，５５）の係止手段１０は、上記第３補助襟掛材５Ｃのものと同じで、各分割型板５５，５５の下辺部において肩掛材４側の上段側左右外端にある係止ピン４７Ａ（又は４７Ｄ）に嵌合する逆Ｌ形（上向き部と外横向き部が連続している）の嵌合溝５６と、分割型板５５の内方側側縁において肩掛材４側の上段側中央寄りにある係止ピン４７Ｂ（又は４７Ｃ）に嵌合する横向きの嵌合溝５７とを有している。
【００９９】
そして、この第４補助襟掛材５Ｄを肩掛材４に装着するには、図１２に鎖線図示するように、各分割型板５５，５５をそれぞれ肩掛材４の上方から左右に位置合わせしながら肩掛材４の小隙間４４（図７、図８）内に落とし込んだ後、中央側に移動させることで、第４補助襟掛材５Ｄ（各分割型板５５，５５）を図１２に実線図示する状態で装着できる。尚、この第４補助襟掛材５Ｄの場合も、各分割型板５５，５５がそれぞれ上下及び各外側には移動不能となり、ビスのような固定手段を使用しなくても各分割型板５５，５５の装着状態が安定する。
【０１００】
この第４補助襟掛材５Ｄの装着状態では、各分割型板５５，５５のそれぞれ半割り襟掛部５２Ａ，５２Ａの間隔（襟掛部幅）が図１０に示す第２補助襟掛材５Ｂの襟掛部幅Ｘ3と同じになっている（大サイズ衣類Ａ3の襟部幅Ｗ3に見合う幅となっている）。又、この装着状態では、第４補助襟掛材５Ｄ（各分割型板５５，５５）の各肩掛部５１，５１の上辺部５１ａ，５１ａがそれぞれ肩掛材４の各肩掛部４１，４１の上辺部より僅かに突出する位置で下方傾斜し、且つ第４補助襟掛材５Ｄの各肩掛部上辺部５１ａ，５１ａの先端部高さが肩掛材４の各肩掛部上辺部の先端部高さと同高さに位置している。
【０１０１】
従って、図１２に示す第４補助襟掛材５Ｄの装着状態では、該第４補助襟掛材５Ｄの各半割り襟掛部５２Ａ，５２Ａが大サイズ衣類Ａ3の襟部幅Ｗ3に適合して衣類襟部Ｄに過不足がなくなり、しかも大サイズ衣類Ａ3の左右各肩部Ｃ，Ｃが大サイズ衣類（ガウン）の自然形状に応じた下方傾斜姿勢となるので、この人型２に大サイズ衣類Ａ3を着せ掛けたときにきれいに整形できる。尚、第２補助襟掛材５Ｂを肩掛材４から外すには、第３補助襟掛材５Ｃの場合と同様に各分割型板５５，５５をそれぞれ一旦外方に移動させた後、上方に抜き外せばよい。
【０１０２】
尚、この実施例の人型構造では、ガウン（大サイズ衣類Ａ3）用として、襟掛部幅Ｘ3が同じ２種類の補助襟掛材（第２補助襟掛材５Ｂ、第４補助襟掛材５Ｄ）を示しているが、ガウン（大サイズ衣類Ａ3）用にも襟掛部幅の異なるものを準備しておくことができる。
【０１０３】
この実施例の人型構造で小サイズ衣類Ａ1を整形するには、図１に示すように各補助襟掛材（５Ａ〜５Ｄ）を使用しないで、人型２に直接小サイズ衣類Ａ1を着せ掛ける。次に、図２に示すように各腕部材６，６を外方に突出させて各袖部Ｂ，Ｂを左右に広げ→手作業により衣類の整形を行い→図３に示すように人型を最上動させて小サイズ衣類Ａ1の襟部Ｄ、肩部上縁Ｃ，Ｃ、及び各袖部上縁Ｂａ，Ｂａを衣類保持装置１２に保持させる。その後、各腕部材６，６を人型本体３内に格納させ、衣類保持装置１２を作動させて衣類を整形させたまま搬送コンベア側に取り込むとともに、人型２を元の位置まで下動させると、１つの衣類の処理が完了する。
【０１０４】
この場合（補助襟掛材を装着しない場合）は、肩掛材４の襟掛部幅Ｘ1が小サイズ衣類Ａ1の襟部幅Ｗ1に適合しているので、該小サイズ衣類の襟部Ｄ及び肩部Ｃ，Ｃを適正姿勢で人型に着せ掛けることができ、最終段階においてもきれいに整形できる。
【０１０５】
又、中サイズ衣類Ａ2を整形する場合には、中サイズ衣類整形用の第１補助襟掛材５Ａ又は第３補助襟掛材５Ｃを肩掛材４に装着して、上記同様（図１〜図３）に整形作業を行う。この場合は、中サイズ衣類Ａ2の襟部Ｄ及び肩部Ｃ，Ｃを適正姿勢で人型に着せ掛けることができ、最終段階においてもきれいに整形できる。
【０１０６】
さらに、大サイズ衣類（ガウン）Ａ3を整形する場合には、大サイズ衣類整形用の第２補助襟掛材５Ｂ又は第４補助襟掛材５Ｄを肩掛材４に装着する一方、各腕部材６，６を下方傾斜姿勢で突出するように設定する。そして、人型２に大サイズ衣類Ａ3を着せ掛けた後、図６に示すように両腕部材６，６を外方に突出させると、大サイズ衣類Ａ3の肩部Ｃ，Ｃ及び両袖部上辺部Ｂａ，Ｂａが自然状態となる下方傾斜状態で整形される。そして、図６の状態から人型２を最上動させると、大サイズ衣類Ａ3をきれいに整形したままの姿勢で衣類受取装置１２側に受け渡すことができる。
【０１０７】
尚、本願実施例の衣類整形装置における各動作は、順次足踏みスイッチによって作動させるようにすると、作業員の両手がスイッチ操作に拘束されないので、能率よく作業が行える。
【図面の簡単な説明】
【０１０８】
【図１】本願実施例の人型構造の全体説明図である。
【図２】図１の状態から両腕部材を外方に突出させた状態の正面図である。
【図３】図２からの状態変化図である。
【図４】図１の人型構造に使用されている腕部材姿勢調整装置の説明図である。
【図５】図４の状態変化図である。
【図６】図１の人型構造で大サイズ衣類（ガウン）を整形する際の説明図である。
【図７】図１の人型構造の一部拡大斜視図である。
【図８】図７のVIII−VIII拡大断面図である。
【図９】第１補助襟掛材の使用例を示す説明図である。
【図１０】第２補助襟掛材の使用例を示す説明図である。
【図１１】第３補助襟掛材の使用例を示す説明図である。
【図１２】第４補助襟掛材の使用例を示す説明図である。
【図１３】公知（特許文献１）の衣類整形装置の断面図である。
【図１４】図１３の使用状態正面図である。
【図１５】本願の衣類整形装置で処理すべき３種類の衣類の正面図である。
【符号の説明】
【０１０９】
２は人型、３は人型本体、４は肩掛材、５Ａ〜５Ｄは補助襟掛材、６は腕部材、７は腕部材出し入れ装置（エアシリンダ）、８は人型昇降装置（エアシリンダ）、１２は衣類保持装置、２０は腕部材姿勢変更装置、４０は型板、４１は肩掛部、４１ａは上辺部、４２は襟掛部、４４は小隙間、４７Ａ〜４７Ｄは係止ピン、５０は型板、５１は肩掛部、５１ａは上辺部、５２Ａは半割り襟掛部、５３は嵌合溝、５５は分割型板、５６，５７は嵌合溝、Ａ1は小サイズ衣類、Ａ2は中サイズ衣類、Ａ3は大サイズ衣類、Ｂは袖部、Ｂａは上辺部、Ｃは肩部、Ｄは襟部、Ｘ1〜Ｘ3は襟掛部幅、Ｗ1〜Ｗ3は襟部幅である。
【図１】
0004808043.tif 000002
【図２】
0004808043.tif 000003
【図３】
0004808043.tif 000004
【図４】
0004808043.tif 000005
【図５】
0004808043.tif 000006
【図６】
0004808043.tif 000007
【図７】
0004808043.tif 000008
【図８】
0004808043.tif 000009
【図９】
0004808043.tif 000010
【図１０】
0004808043.tif 000011
【図１１】
0004808043.tif 000012
【図１２】
0004808043.tif 000013
【図１３】
0004808043.tif 000014
【図１４】
0004808043.tif 000015
【図１５】
0004808043.tif 000016